(57)【要約】【課題】主ロープの交換作業を安定した姿勢で行うことができるエレベーターの釣合おもり。【解決手段】エレベーターの釣合おもりは、エレベーターの主ロープに支持されたおもり本体と、前記おもり本体の正面から前記エレベーターの昇降路の中央の側に突き出さない位置と突き出す位置とに配置を変え得るように前記おもり本体に設けられた作業用足場台と、を備えた。当該釣合おもりによれば、作業用足場台は、おもり本体の正面から昇降路の中央の側に突き出さない位置と突き出す位置とに配置を変え得るように設けられる。このため、主ロープの交換作業を安定した姿勢で行うことができる。【選択図】図２
2019218172.tif 000002
【特許請求の範囲】
【請求項１】
エレベーターの主ロープに支持されたおもり本体と、
前記おもり本体の正面から前記エレベーターの昇降路の中央の側に突き出さない位置と突き出す位置とに配置を変え得るように前記おもり本体に設けられた作業用足場台と、
を備えたエレベーターの釣合おもり。
【請求項２】
前記作業用足場台が前記エレベーターの昇降路の中央の側に突き出した状態において、前記作業用足場台の一側に設けられた一側柵体と、
前記作業用足場台が前記エレベーターの昇降路の中央の側に突き出した状態において、前記作業用足場台の一側に設けられた他側柵体と、
前記作業用足場台が前記エレベーターの昇降路の中央の側に突き出した状態において、前記作業用足場台の手前側に設けられた手前側柵体と、
を備えた請求項１に記載のエレベーターの釣合おもり。
【請求項３】
エレベーターの主ロープに支持されたおもり本体と、
前記おもり本体の正面から前記エレベーターの昇降路の中央の側に突き出さない位置と突き出す位置とに配置を変え得るように前記おもり本体において隣接した一対の作業用足場台と、
を備えたエレベーターの釣合おもり。
【請求項４】
前記一対の作業用足場台の一方が前記エレベーターの昇降路の中央の側に突き出した状態において、前記一対の作業用足場台の一方の前記一対の作業用足場台の他方の側とは反対側に設けられた一側柵体と、
前記一対の作業用足場台の一方が前記エレベーターの昇降路１の中央の側に突き出した状態において、前記一対の作業用足場台の一方の手前側に設けられた第１手前側柵体と、
前記一対の作業用足場台の他方が前記エレベーターの昇降路の中央の側に突き出した状態において、前記一対の作業用足場台の他方の前記一対の作業用足場台の一方の側とは反対側に設けられた他側柵体と、
前記一対の作業用足場台の他方が前記エレベーターの昇降路１の中央の側に突き出した状態において、前記一対の作業用足場台の他方の手前側に設けられた第２手前側柵体と、
を備えた請求項３に記載のエレベーターの釣合おもり。
【請求項５】
前記おもり本体と前記主ロープとの連結に用いられる部品を収納する収納部、
を備えた請求項１から請求項４のいずれか一項に記載のエレベーターの釣合おもり。
【請求項６】
エレベーターの昇降路の底部に設けられた支持装置で前記エレベーターの釣合おもりを支持する支持工程と、
前記支持工程の後、前記昇降路の底部から前記エレベーターの釣合おもりのおもり本体に設けられた一対の作業用足場台の一方に梯子の先端を連結させる連結工程と、
前記連結工程の後、作業員が前記梯子に登って前記一対の作業用足場台の他方を前記おもり本体の正面から前記昇降路の中央側に突き出さない状態から前記昇降路の中央側に突き出す状態にする第１設置工程と、
前記第１設置工程の後、前記作業員が前記梯子から前記一対の作業用足場台の一方に移動する移動工程と、
前記移動工程の後、前記一対の作業用足場台の一方を前記おもり本体の正面から前記昇降路の中央側に突き出さない状態から前記昇降路の中央側に突き出す状態にする第２設置工程と、
前記第２設置工程の後、前記作業員が前記一対の作業用足場台の一方と他方とを行き来して前記おもり本体に連結された主ロープを交換する作業を行う交換工程と、
を備えたエレベーターの主ロープの交換方法。
【発明の詳細な説明】
【技術分野】
【０００１】
この発明は、エレベーターの作業用足場台を備えた釣合おもりおよびエレベーターの主ロープの交換方法に関する。
【背景技術】
【０００２】
特許文献１は、エレベーターの釣合おもりを開示する。当該釣合おもりによれば、作業用足場台を利用することで主ロープの交換作業を安定した姿勢で行い得る。
【先行技術文献】
【特許文献】
【０００３】
【特許文献１】特開平９−１９４１６４号公報
【発明の概要】
【発明が解決しようとする課題】
【０００４】
しかしながら、特許文献１に記載の釣合おもりにおいて、作業用足場台は、複雑な構成である。このため、主ロープの交換作業の段取りに時間がかかる。
【０００５】
この発明は、上述の課題を解決するためになされた。この発明の目的は、簡単な構成で、主ロープの交換作業を安定した姿勢で行うことができるエレベーターの釣合おもりおよびエレベーターの主ロープの交換方法を提供することである。
【課題を解決するための手段】
【０００６】
この発明に係るエレベーターの釣合おもりは、エレベーターの主ロープに支持されたおもり本体と、前記おもり本体の正面から前記エレベーターの昇降路の中央の側に突き出さない位置と突き出す位置とに配置を変え得るように前記おもり本体に設けられた作業用足場台と、を備えた。
【０００７】
この発明に係るエレベーターの釣合おもりは、エレベーターの主ロープに支持されたおもり本体と、前記おもり本体の正面から前記エレベーターの昇降路の中央の側に突き出さない位置と突き出す位置とに配置を変え得るように前記おもり本体において隣接した一対の作業用足場台と、を備えた。
【０００８】
この発明に係るエレベーターの主ロープの交換方法は、エレベーターの昇降路の底部に設けられた支持装置で前記エレベーターの釣合おもりを支持する支持工程と、前記支持工程の後、前記昇降路の底部から前記エレベーターの釣合おもりのおもり本体に設けられた一対の作業用足場台の一方に梯子の先端を連結させる連結工程と、前記連結工程の後、作業員が前記梯子に登って前記一対の作業用足場台の他方を前記おもり本体の正面から前記昇降路の中央側に突き出さない状態から前記昇降路の中央側に突き出す状態にする第１設置工程と、前記第１設定工程の後、前記作業員が前記梯子から前記一対の作業用足場台の一方に移動する移動工程と、前記移動工程の後、前記一対の作業用足場台の一方を前記おもり本体の正面から前記昇降路の中央側に突き出さない状態から前記昇降路の中央側に突き出す状態にする第２設置工程と、前記第２設置工程の後、前記作業員が前記一対の作業用足場台の一方と他方とを行き来して前記おもり本体に連結された主ロープを交換する作業を行う交換工程と、を備えた。
【発明の効果】
【０００９】
これらの発明によれば、作業用足場台は、おもり本体から昇降路の中央の側に突き出さない位置と突き出す位置とに配置を変え得るように設けられる。このため、簡単な構成で、主ロープの交換作業を安定した姿勢で行うことができる。
【図面の簡単な説明】
【００１０】
【図１】実施の形態１におけるエレベーターの釣合おもりが適用されるエレベーターシステムの構成図である。
【図２】実施の形態１におけるエレベーターの釣合おもりの要部の斜視図である。
【図３】実施の形態１におけるエレベーターの釣合おもりの要部の斜視図である。
【図４】実施の形態１におけるエレベーターの釣合おもりの要部の斜視図である。
【図５】実施の形態１におけるエレベーターの釣合おもりの要部の斜視図である。
【図６】実施の形態１におけるエレベーターの釣合おもりの要部の斜視図である。
【発明を実施するための形態】
【００１１】
この発明を実施するための形態について添付の図面に従って説明する。なお、各図中、同一または相当する部分には同一の符号が付される。当該部分の重複説明は適宜に簡略化ないし省略される。
【００１２】
実施の形態１．
図１は実施の形態１におけるエレベーターの釣合おもりが適用されるエレベーターシステムの構成図である。
【００１３】
図１のエレベーターシステムにおいて、昇降路１は、図示されない建築物の各階を貫く。機械室２は、昇降路１の直上に設けられる。複数の乗場３の各々は、建築物の各階に設けられる。複数の乗場３の各々は、昇降路１に対向する。
【００１４】
巻上機４は、機械室２に設けられる。主ロープ５は、巻上機４に巻き掛けられる。
【００１５】
かご６は、昇降路１の内部に設けられる。かご６は、主ロープ５の一側に吊るされる。釣合おもり７は、昇降路１の内部に設けられる。釣合おもり７は、主ロープ５の他側に吊るされる。
【００１６】
釣合おもり７は、おもり本体８と作業用足場台９とを備える。おもり本体８は、主ロープ５に支持される。作業用足場台９は、おもり本体８に設けられる。作業用足場台９は、おもり本体８の正面から昇降路１の中央の側に突き出さない位置と突き出す位置とに配置を変え得るように設けられる。作業用足場台９は、昇降路１の中央側に突き出す位置に配置された際に水平面を形成するように設けられる。
【００１７】
複数の乗場ドア１０の各々は、複数の乗場３の各々の出入口に設けられる。かごドア１１は、かご６の出入口に設けられる。
【００１８】
制御装置１２は、機械室２に設けられる。制御装置１２は、巻上機４とかご６の機器とに電気的に接続される。制御装置１２は、エレベーターを全体的に制御し得るように設けられる。監視装置１３は、機械室２に設けられる。監視装置１３は、制御装置１２に電気的に接続される。監視装置１３は、制御装置１２からの情報に基づいてエレベーターの状態を監視し得るように設けられる。
【００１９】
情報センター装置１４は、エレベーターが設けられた建築物から離れた場所に設けられる。例えば、情報センター装置１４は、エレベーターの保守会社に設けられる。情報センター装置１４は、監視装置１３からの情報に基づいてエレベーターの状態を把握し得るように設けられる。
【００２０】
主ロープ５の交換時において、作業員は、釣合おもり７の下方において昇降路１の底部に支持装置１５を配置させる。支持装置１５は、釣合おもり７を下方から支持する。その後、作業員は、釣合おもり７の付近の昇降路１の壁面に梯子１６の先端を掛ける。その後、作業員は、梯子１６に登る。その後、作業員は、作業用足場台９を昇降路１の中央の側に突き出さない状態から突き出す状態にする。その後、作業員は、梯子１６から作業用足場台９の水平面に移動する。その後、作業員は、作業用足場台９の水平面の上で主ロープ５を交換する作業を行う。
【００２１】
次に、図２を用いて、釣合おもり７の要部を説明する。
図２と図３とは実施の形態１におけるエレベーターの釣合おもりの要部の斜視図である。
【００２２】
図２において、作業用足場台９は、下縁部を軸として開閉し得るように設けられる。作業用足場台９は、一対のボルト９ａで固定されることにより昇降路１の中央の側に突き出さない位置に維持される。作業員は、梯子１６に登って一対のボルト９ａを緩めることにより作業用足場台９を昇降路１の中央の側に突き出す状態にする。
【００２３】
図３に示されるように、作業用足場台９が昇降路１の中央の側に突き出す状態になると、作業用足場台９の一側には、蛇腹状の一側柵体９ｂが自動的に開く。作業用足場台９の他側には、蛇腹状の他側柵体９ｃが自動的に開く。作業員は、図３においては図示されない梯子１６から昇降路１の底部に戻って梯子１６の先端を作業用足場台９の水平面の手前側に掛け直す。その後、作業員は、梯子１６から作業用足場台９の水平面に移動する。その後、作業員は、作業用足場台９の手前側から手前側柵体９ｄを引き出す。
【００２４】
図３に示されるように、作業用足場台９は、収納部９ｅを備える。例えば、収納部９ｅは、作業用足場台９の奥側の上面に設けられる。収納部９ｅは、おもり本体８と図３においては図示されない主ロープ５との連結に用いられるピン、割ピン等の部品を収納し得るように設けられる。例えば、収納部９ｅは、作業用足場台９の奥側の上面に対して凹むように形成される。
【００２５】
以上で説明した実施の形態１によれば、作業用足場台９は、おもり本体８の正面から昇降路１の中央の側に突き出さない位置と突き出す位置とに配置を変え得るように設けられる。このため、簡単な構成で、主ロープ５の交換作業時の足場が確保される。例えば、図示されないロックナットを外す等、大きな力が必要となる主ロープ５の交換作業を安定した姿勢で行うことができる。
【００２６】
また、複数の柵体が設けられる。このため、主ロープ５の交換作業時の安全性を確保することができる。
【００２７】
また、収納部９ｅが設けられる。このため、主ロープ５の交換作業時に取り外したり取り付けられたりする部品の紛失を防止することができる。
【００２８】
実施の形態２．
図４から図６は実施の形態１におけるエレベーターの釣合おもりの要部の斜視図である。なお、実施の形態１の部分と同一又は相当部分には同一符号が付される。当該部分の説明は省略される。
【００２９】
図４に示されるように、実施の形態２の釣合おもり７は、一対の作業用足場台９を備える。一対の作業用足場台９は、互いに隣接する。
【００３０】
図５に示されるように、作業員は、一対の作業用足場台９の一方に梯子１６の先端を連結させる。その後、作業員は、梯子１６に登って一対の作業用足場台９の他方を昇降路１の中央側に突き出さない状態から昇降路１の中央側に突き出す状態にする。その後、作業員は、梯子１６から一対の作業用足場台９の他方の水平面に移動する。その後、作業員は、一対の作業用足場台９の他方の水平面に沿って畳まれていた他側柵体９ｃと手前側柵体９ｄとを立てる。その後、作業員は、梯子１６から一対の作業用足場台９の他方の水平面に移動する。
【００３１】
その後、図６に示されるように、作業員は、一対の作業用足場台９の一方と梯子１６の先端との連結を維持したまま、一対の作業用足場台９の一方を昇降路１の中央側に突き出さない状態から昇降路１の中央側に突き出す状態にする。その後、作業員は、一対の作業用足場台９の一方の水平面に沿って畳まれていた一側柵体９ｂと手前側柵体９ｄとを立てる。その後、作業員は、一対の作業用足場台９の一方の水平面と他方の水平面とを行き来して図６においては図示されない主ロープ５を交換する作業を行う。
【００３２】
なお、主ロープ５の交換後は、作業員は、主ロープ５の交換前の手順と逆の手順により一対の作業用足場台９を昇降路１の中央側に突き出す状態から昇降路１の中央側に突き出さない状態にする。
【００３３】
以上で説明した実施の形態２によれば、一対の作業用足場台９は、隣接する。このため、主ロープ５の交換作業時の作業領域を広くとることができる。
【００３４】
この際、一側柵体９ｂは、一対の作業用足場台９の一方の一対の作業用足場台９の他方の側とは反対側に設けられる。他側柵体９ｃは、一対の作業用足場台９の他方の一対の作業用足場台９の一方の側とは反対側に設けられる。これに対し、一対の作業用足場台９の一方と他方との隣接部には、柵体が設けられない。このため、主ロープ５の交換作業時の作業領域を広くとりつつ、主ロープ５の交換作業時の安全性をより確実に確保することができる。
【００３５】
なお、実施の形態１または実施の形態２において、おもり本体８と主ロープ５との連結に用いられる部品の形状に合わせた凹部を収納部９ｅとしてもよい。この場合、主ロープ５の交換作業時に取り外したり取り付けられたりする部品の収納位置を明確にすることができる。このため、当該部品の紛失をより確実に防止することができる。
【００３６】
また、実施の形態１または実施の形態２において、収納部９ｅに磁力を持たせてもよい。この場合、主ロープ５の交換作業時に取り外したり取り付けられたりするピン、割ピン等の鉄製の部品の収納時の移動を防止できる。このため、当該部品の紛失をより確実に防止することができる。
【００３７】
なお、作業用足場台９がおもり本体８から昇降路１の中央の側に突き出さない位置に配置されたことを検出するスイッチを設けてもよい。この際、エレベーターの通常運転時において、作業用足場台９がおもり本体８から昇降路１の中央の側に突き出さない位置に配置されたことが検出された際、かご６の走行を禁止すればよい。この場合、かご６と作業用足場台９との干渉を防止することができる。
【符号の説明】
【００３８】
１  昇降路、  ２  機械室、  ３  乗場、  ４  巻上機、  ５  主ロープ、  ６  かご、  ７  釣合おもり、  ８  おもり本体、  ９  作業用足場台、  ９ａ  ボルト、  ９ｂ  一側柵体、  ９ｃ  他側柵体、  ９ｄ  手前側柵体、  ９ｅ  収納部、  １０  乗場ドア、  １１  かごドア、  １２  制御装置、  １３  監視装置、  １４  情報センター装置、  １５  支持装置、  １６  梯子
【図１】
2019218172.tif 000003
【図２】
2019218172.tif 000004
【図３】
2019218172.tif 000005
【図４】
2019218172.tif 000006
【図５】
2019218172.tif 000007
【図６】
2019218172.tif 000008